(57)【要約】【課題】プロテクタ同士の結合時の挿入力を低減し、かつ、遊びを減少させる。【解決手段】第１プロテクタ本体１２の結合部１７は、底壁１７ａに位置決め孔１９を穿設し、両側壁１７ｂの内面からフック止め突起２０を設けると共に、位置決め孔１９およびフック止め突起２０よりも結合端側の両側壁１７ｂにロック爪係止枠２１を設けて、第２プロテクタ本体１３の結合部１８は、両側壁１８ｂにロック爪２４を設けると共に、結合側先端の先端位置決め部２５に、位置決め孔１９に上方から嵌合する位置決めリブ２８と、底壁部２６の両側から突設したフック部２７を設け、第１、第２プロテクタ本体１２、１３の結合部位Ａにおいて、ロック爪係止枠２１にロック爪２４をロック結合すると共に、位置決め孔１９に位置決めリブ２８を嵌合させて連結Ｘ方向位置決めし、フック止め突起２０にフック部２７の上面２７ａを当接させて上下Ｙ方向に位置決めする。【選択図】図２
2008259276.tif 000002
【特許請求の範囲】
【請求項１】
別体の樹脂成形品からなる樋形状とした第１プロテクタ本体と第２プロテクタ本体とを、長さ方向の一端側に形成した結合部同士を嵌合して結合しており、
前記第１プロテクタ本体の前記結合部は、底壁に位置決め孔を穿設し、両側壁の内面から左右一対のフック止め突起を設けると共に、前記位置決め孔およびフック止め突起よりも結合端側の両側壁に左右一対のロック爪係止枠を設けている一方、
前記第２プロテクタ本体の前記結合部の底壁および両側壁は、第１プロテクタ本体の前記結合部の底壁および両側壁の内面に嵌合される大きさとし、かつ、第２プロテクタ本体の結合部の結合側先端に、前記位置決め孔に上方から嵌合する位置決めリブを突設した底壁部と該底壁部の両側から前記フック止め突起に上面が当接する高さとしたフック部を設けた先端位置決め部を設け、該先端位置決め部に前記結合部の底壁を連続させると共に両側壁は切り込みを介して分離し、該両側壁に前記ロック爪係止枠とロック結合するロック爪を設け、
前記第１、第２プロテクタ本体の結合部において、前記両側壁でロック爪係止枠とロック爪とのロック結合と、第１プロテクタ本体の位置決め孔に第２プロテクタ本体の位置決めリブを嵌合させる連結方向の位置決めと、第１プロテクタ本体のフック止め突起に第２プロテクタ本体のフック部を当接させた上下方向の位置決めとがなされることを特徴とするワイヤハーネス用プロテクタ。
【請求項２】
前記第１、第２プロテクタ本体はそれぞれロック結合される蓋を備えている請求項１に記載のワイヤハーネス用プロテクタ。
【請求項３】
前記第１プロテクタと第２プロテクタとは前記結合部を介して屈曲して連結されるものである請求項１または請求項２に記載のワイヤハーネス用プロテクタ。
【発明の詳細な説明】
【技術分野】
【０００１】
本発明は、ワイヤハーネス用プロテクタに関し、特に、長さ方向に分割されたプロテクタ同士を上下方向に嵌合して結合する上下嵌合型の連結プロテクタにおいて、結合構造の改良を図るものである。
【背景技術】
【０００２】
近年、自動車に配索するワイヤハーネスは大型化および複雑化しており、その電線量も増加の一途であるが、車両内におけるワイヤハーネスの配索スペースにも制限があるため、ワイヤハーネスは車体パネルに沿った狭いスペースに正確かつ高密度に配索することが求められていると共に、ワイヤハーネスが外部干渉材と接触しないように保護するため、樹脂成形品からなるプロテクタを設けてワイヤハーネスに外装している場合が多い。
【０００３】
前記樹脂成形品からなるプロテクタは、複雑な屈曲形状で、一度に金型成形できない場合には、分割して別体として成形し、これら分割したプロテクタ同士を連結して一つのプロテクタに組み立てている。
【０００４】
図６は、前記連結タイプのプロテクタのうち、分割したプロテクタ同士を長さ方向にスライド結合する例を示している。
詳しくは、互いに樋形状の第１プロテクタ１と第２プロテクタ２の結合構造において、第１プロテクタ１の底壁１ａ上に、第２プロテクタ２の底壁２ａの先端部を挿入保持する保持底片１ｃを設け、第１プロテクタ１の両側壁１ｂに、第２プロテクタ２の両側壁２ｂの先端部を挿入保持する保持側片１ｄを設け、第２プロテクタ２の底壁２ａと両側壁２ｂを第１プロテクタ１の底壁１ａと両側壁１ｂの内面側に重合させるとともに、第２プロテクタ２の底壁２ａと両側壁２ｂの先端部を第１プロテクタ１の前記保持底片１ｃと保持側片１ｄにそれぞれ挿入保持させ、かつ、第２プロテクタ２の底壁２ａの下面より突設した係合突起２ｃを、第１プロテクタ１の底壁１ａの上面に凹設した係合凹部１ｅに嵌合させて、第１プロテクタ１と第２プロテクタ２とを結合している（特開平１０−８４６１３号参照）。
【０００５】
しかしながら、前記スライド連結タイプのプロテクタは、前記保持底片１ｃと保持側片１ｄとで第１、第２プロテクタ１、２の結合部を上下Ｙ方向に分離規制することはできるが、長さＸ方向の分離規制は、前記係合突起２ｃと係合凹部１ｅの嵌合のみによって行われる構造であるため、この長さＸ方向の結合力が弱く、結合部に何らかの荷重がかかったときに、第１、第２プロテクタ１、２の連結が解除されて長さＸ方向に分離しやすい点に課題がある。
【０００６】
一方で、長さ方向に分割されたプロテクタ同士を上下方向に嵌合して連結するプロテクタも一般に知られている。この上下嵌合型のプロテクタは、図７（Ａ）に示すように、第１プロテクタ５の結合部に第２プロテクタ６の結合部が内嵌するように、第１プロテクタ５に第２プロテクタ６を上方から嵌合し、第１プロテクタ５の両側壁５ｂに形成した被ロック枠５ｃに第２プロテクタ６の両側壁６ｂに形成した第１ロック爪６ｃを係止して第１ロックをかけると共に、第２プロテクタ６の底壁６ａに穿設したロック孔６ｄに、第１プロテクタ５の底壁５ａより突設した第２ロック爪５ｄを嵌合して第２ロックをかけることによって、第１、第２プロテクタ５、６を連結している。
【０００７】
しかしながら、前記第２ロック爪５ｄは、図８に示すように、第２プロテクタ６の底壁６ａの上面に突出しないように突出高さｈを低く設計する必要があるため、ロック孔６ｄとの嵌合時に必要な撓みを殆ど確保できない。また、前記ロック孔６ｄも、第２ロック爪５ｄとの嵌合時に広がる構造ではない。そのため、第２ロック爪５ｄをロック孔６ｄに嵌合するときに大きな挿入力が必要となり作業性が悪いうえ、半嵌合となりやすい点に問題がある。
【０００８】
また、図７（Ｂ）にも示すように、前記第１ロックと第２ロックは長さＸ方向において同一箇所になされるため、この第１、第２ロック位置を中心に第１、第２プロテクタ５、６が上下回転Ｖ方向にズレ動きやすい。さらに、前記ロック孔６ｄと第２ロック爪５ｄとの間には、嵌合作業を容易化するためにクリアランスが設けられているため、第１、第２プロテクタ５、６は長さＸ方向にもズレ動きやすく、前記上下回転Ｖ方向と長さＸ方向の両方向に「遊び」が大きい点にも問題がある。
【０００９】
【特許文献１】特開平１０−８４６１３号公報
【発明の開示】
【発明が解決しようとする課題】
【００１０】
本発明は前記問題に鑑みてなされたもので、長さ方向に分割されたプロテクタ同士を上下方向に嵌合して結合するワイヤハーネス用プロテクタにおいて、プロテクタ同士の結合時に必要な挿入力を低減すると共に、結合部の上下回転方向および長さ方向（連結方向）の遊びを減少させることを課題としている。
【課題を解決するための手段】
【００１１】
前記問題を解決するために、本発明は、別体の樹脂成形品からなる樋形状とした第１プロテクタ本体と第２プロテクタ本体とを、長さ方向の一端側に形成した結合部同士を嵌合して結合しており、
前記第１プロテクタ本体の前記結合部は、底壁に位置決め孔を穿設し、両側壁の内面から左右一対のフック止め突起を設けると共に、前記位置決め孔およびフック止め突起よりも結合端側の両側壁に左右一対のロック爪係止枠を設けている一方、
前記第２プロテクタ本体の前記結合部の底壁および両側壁は、第１プロテクタ本体の前記結合部の底壁および両側壁の内面に嵌合される大きさとし、かつ、第２プロテクタ本体の結合部の結合側先端に、前記位置決め孔に上方から嵌合する位置決めリブを突設した底壁部と該底壁部の両側から前記フック止め突起に上面が当接する高さとしたフック部を設けた先端位置決め部を設け、該先端位置決め部に前記結合部の底壁を連続させると共に両側壁は切り込みを介して分離し、該両側壁に前記ロック爪係止枠とロック結合するロック爪を設け、
前記第１、第２プロテクタ本体の結合部において、前記両側壁でロック爪係止枠とロック爪とのロック結合と、第１プロテクタ本体の位置決め孔に第２プロテクタ本体の位置決めリブを嵌合させる連結方向の位置決めと、第１プロテクタ本体のフック止め突起に第２プロテクタ本体のフック部を当接させた上下方向の位置決めとがなされることを特徴とするワイヤハーネス用プロテクタを提供している。
【００１２】
前記構成のプロテクタは、第１、第２プロテクタ本体の底壁の中央部には、上下方向に分離規制するロック構造を設けず、代わりに、第２プロテクタ本体の前記先端位置決め部のフック部を第１プロテクタ本体の前記フック止め突起に係止させることで上下方向の位置決めを行う構造としている。
前記フック部は、先端位置決め部の底壁部の両側から、両側壁の内面に沿うように立ち上げて突設しているため、従来の底壁中央部に形成していたロック爪と異なり、突出高さを十分に確保できる。また、該フック部と第２プロテクタ本体の結合部の両側壁とは、切り込みを介して分離されている。これらにより、該フック部は、前記フック止め突起との係合時に必要な撓みを十分に確保することができる。
従って、小さな挿入力でも前記フック部とフック止め突起とを容易に係合させることができるため、作業性が向上すると共に、該フック部とフック止め突起との半係合も防止できる。
【００１３】
また、第１、第２プロテクタ本体の結合部は、両側壁に設けられた前記ロック爪と前記ロック爪係止枠とのロック結合箇所で長さ方向（連結方向）と上下方向の両方向において分離規制されるうえ、該ロック結合箇所とは長さ方向に異なる箇所で、前記フック部と前記フック止め突起との係合によって上下方向に位置決めされる。即ち、長さ方向に異なる２箇所で上下方向に分離規制および位置決めされるため、第１、第２プロテクタ本体の前記ロック結合箇所を中心とした上下回転方向のズレ動きを抑制することができる。
【００１４】
さらに、前記位置決めリブを前記位置決め孔に嵌合することによって、第１、第２プロテクタ本体を連結方向に位置決めすることができるうえ、前記位置決めリブを前記位置決め孔に単純に挿入するだけの嵌合構造とすることにより、係止爪構造と異なり、該リブと位置決め孔との間のクリアランスを極小化できるため、連結方向のズレ動きも抑制することができる。
【００１５】
このように、前記構成のプロテクタは、連結方向と上下方向、さらに、上下回転方向の遊びを減少させることができるため、前記結合部の変形を防止でき、該プロテクタとワイヤハーネスや周辺部品との干渉、およびそれに起因する損傷を防止することができる。
【００１６】
前記第１、第２プロテクタ本体はそれぞれロック結合される蓋を備えていることが好ましい。
特に、第１プロテクタ本体の結合部に、第１、第２プロテクタの両方の蓋のロック部を係止する被ロック部を設け、第１、第２プロテクタ本体の結合部同士が結合された状態で、前記被ロック部に両方の蓋のそれぞれのロック部をロック結合することにより、第１プロテクタ本体と第２プロテクタ本体とは蓋を介してもロック結合することになり、より連結強度を高めることができる。
【００１７】
前記第１プロテクタと第２プロテクタとは前記結合部を介して屈曲して連結される場合に最も好適に用いられるが、プロテクタが大型化した場合、屈曲部に限らず直線部においてもプロテクタを第１、第２プロテクタに分割し、前記結合部を設けて結合してもよい。さらに、プロテクタは第１、第２プロテクタの組み合わせに限定されず、屈曲部が多い場合や大型長尺化する場合は、第３、第４・・・と多分割し、これら各分割端を前記結合部で結合することが好ましい。
【発明の効果】
【００１８】
上述したように、本発明によれば、第２プロテクタ本体の結合側先端に先端位置決め部を設け、該先端位置決め部の底壁部の両側にフック部を突設し、該フック部を第１プロテク本体に設けたフック止め突起に係止させることで、第１、第２プロテクタ本体を上下方向の位置決めしているため、従来の底壁中央部に設けたロック構造と異なり、前記フック部には十分な突出高さおよび撓みを確保することができ、該フック部とフック止め突起との嵌合に必要な挿入力を低減して作業性を向上できると共に、半嵌合も防止できる。
【００１９】
また、第１、第２プロテクタ本体の結合部は、連結方向に異なる２箇所で、上下方向に分離規制および位置決めされるため、両側壁に設けたロック爪およびロック爪係止枠とのロック結合位置を中心とする上下回転方向の遊びを減少させることができる。
さらに、位置決めリブと位置決め孔との嵌合により、連結方向の遊びも減少させることができる。
【００２０】
このように、上下方向、連結方向、および上下回転方向の遊びを減少させることにより、第１、第２プロテクタ本体の結合部の変形を防止できるとともに、ワイヤハーネスや周辺部品との干渉も防止することができる。
【発明を実施するための最良の形態】
【００２１】
以下、本発明の実施形態を図面を参照して説明する。
図１乃至図５は、本発明の第１実施形態にかかるワイヤハーネス用プロテクタ１０を示す。プロテクタ１０は、車両の車体パネルに沿って配索されるワイヤハーネス（図示せず）に外装するものであり、図１に示すように、ワイヤハーネスの配索経路に沿って屈曲形状としている。
【００２２】
前記プロテクタ１０は、別体の樹脂成形品からなる第１プロテクタ１０−１と第２プロテクタ本体１０−２とを結合部位Ａを介して屈曲形状に連結して一体化している。
【００２３】
第１プロテクタ１０−１は、底壁１２ａと両側壁１２ｂを備えた樋形状の第１プロテクタ本体１２と、その上面開口を覆う第１蓋１５を備えている。
第２プロテクタ１０−２は、底壁１３ａと両側壁１３ｂを備えた樋形状の第２プロテクタ本体１３と、その上面開口を覆う第２蓋１６を備えている。
【００２４】
前記第１プロテクタ本体１２と第２プロテクタ本体１３は、図２に示すように、長さ方向の一端側に結合部１７、１８を形成し、該結合部１７、１８を互いに嵌合して図１に示す結合部位Ａを形成している。
【００２５】
前記第１プロテクタ本体１２の結合部１７は、図２（Ａ）（Ｂ）に示すように、第１プロテクタ本体１２の底壁１２ａおよび両側壁１２ｂと連続する底壁１７ａおよび両側壁１７ｂを備えた断面コ字形状よりなる。
【００２６】
前記底壁１７ａには、後述の位置決めリブ２８を嵌合する、幅方向に横長の位置決め孔１９を穿設している。また、前記両側壁１７ｂには、内面に、後述のフック部２７を係止する左右一対のフック止め突起２０を突設し、外面には、前記フック止め突起２０よりも結合端側の位置に左右一対のロック爪係止枠２１を設けている。
【００２７】
前記フック止め突起２０は、図３（Ｃ）にも示すように、下面を前記底壁１７ａと平行な係止面２０ａとする一方、上面側は下面側にかけて湾曲傾斜させたガイド面２０ｂとしている。
なお、前記係止面２０ａの対向位置の底壁１７ａには、フック止め突起２０の型抜き孔２３があけられている。
【００２８】
前記第２プロテクタ本体１３の結合部１８は、図２（Ａ）（Ｂ）に示すように、プロテクタ本体１３の底壁１３ａおよび両側壁１３ｂと連続する底壁１８ａと両側壁１８ｂを備えた断面コ字形状よりなり、前記第１プロテクタ本体１２の結合部１７の内面に嵌合される大きさとしている。
【００２９】
前記結合部１８の両側壁１８ｂの外面には、前記第１プロテクタ本体１２のロック爪係止枠２１に上方から挿入して係止される左右一対のロック爪２４を下方に突設している。また、該結合部１８の結合側先端には先端位置決め部２５を設けている。
【００３０】
前記先端位置決め部２５は、前記結合部１８の底壁１８ａと面一で連続する底壁部２６と、該底壁部２６の両側を上方に屈曲して突設した左右一対のフック部２７と、底壁部２６の結合側先端より下方に突設した幅方向に横長形状の位置決めリブ２８とからなる。
【００３１】
前記フック部２７の突出高さＨは、図３（Ｂ）（Ｃ）に示すように、第１、第２プロテクタ本体１２、１３の結合状態において、該フック部２７の上面２７ａが、前記第１プロテクタ本体１２の前記フック止め突起２０の係止面２０ａに当接する高さとしている。
また、該フック部２７と前記結合部１８の両側壁１８ｂとの間には、図２（Ａ）（Ｂ）に示すように、底壁１８ａにまで至る切り込み２９を設け、該切り込み２９を介してフック部２７をその全高にわたって両側壁１８ｂから分離している。
【００３２】
前記位置決めリブ２８は、下端に係止爪等の突起を設けず、図３（Ｂ）に示すように、第１プロテクタ本体１２の前記位置決め孔１９に単純に挿入して嵌合する形状としている。また、該位置決めリブ２８と前記位置決め孔１９との間にはクリアランスを設けず、嵌合時に位置決めリブ２８の前後両面２８ａ、２８ｂが前記位置決め孔１９の内面に当接するように設計している。
【００３３】
前記第１プロテクタ本体１２の上面開口を覆う上壁１５ａの長さ方向一端側には、図３（Ａ）に示すように、幅方向両側より垂下させて、ロック部３０を下方に突設している。
また、図１に示すように、前記上壁１５ａの幅方向両側には、長さ方向に所要間隔をあけて複数のロック部３１を下方に突設している。
【００３４】
前記第２プロテクタ本体１３の上面開口を覆う上壁１６ａの長さ方向一端側には、図３（Ａ）に示すように、幅方向両側より垂下させて、ロック部３２を下方に突設している。
また、図１に示すように、前記上壁１６ａの幅方向両側には、長さ方向に所要間隔をあけて複数のロック部３３を下方に突設している。
【００３５】
前記第１プロテクタ本体１２の両側壁１２ｂの外面には、図３（Ａ）にも示すように、前記ロック爪係止枠２１よりも本体側（結合端側と反対側）に隣接して、前記第１蓋１５および第２蓋１６のロック部３０、３２を挿入係止する２個の被ロック部３４ａ、３４ｂを並設している。
【００３６】
また、第１プロテクタ本体の両側壁１２ｂの外面には、図１に示すように、前記第１蓋１５のロック部３１を挿入係止する被ロック部３５を所要間隔をあけて複数個所に設けている。
同様に、第２プロテクタ本体１３の両側壁１３ｂの外面側には、前記第２蓋１６のロック部３３を挿入係止する被ロック部３６を所要間隔をあけて複数個所に設けている。
【００３７】
次に、前記構成のプロテクタ１０の組み立て手順を説明する。
まず、図２（Ａ）に示すように、第２プロテクタ本体１３の結合部１８を第１プロテクタ本体１２の結合部１７に上方から嵌合し、図３（Ａ）〜（Ｃ）に示すように、第２プロテクタ本体１２のロック爪２４を第１プロテクタ本体１２のロック爪係止枠２１に挿入係止してロック結合して、第２プロテクタ本体１３の結合部１８を第１プロテクタ本体１２の結合部１７に内嵌させる。
このとき、図３（Ａ）〜（Ｃ）に示すように、第２プロテクタ本体１３の前記位置決めリブ２８を第１プロテクタ本体１２の前記位置決め孔１９に挿入嵌合すると共に、第２プロテクタ本体１３の前記フック部２７を第１プロテクタ本体１２の前記フック止め突起２０に係止させる。
【００３８】
ついで、図３（Ａ）および図４に示すように、前記結合状態の第１プロテクタ本体１２と第２プロテクタ本体１３の上面に、第１蓋１５および第２蓋１６を被せてロック結合する。
このとき、第１蓋１５は、第１プロテクタ本体１２の上面に被せ、図１に示すように、ロック部３１をプロテクタ本体１２の被ロック部３５に挿入係止すると共に、結合端側のロック部３０を第１プロテクタ本体１２の被ロック部３４ａに挿入係止する。また、第２蓋１６は、第２プロテクタ本体１３から結合部位Ａを越えて第１プロテクタ本体１２にかけて上面に被せ、ロック部３３をプロテクタ本体１３の被ロック部３６に挿入係止すると共に、結合端側のロック部３２を第１プロテクタ本体１２の被ロック部３４ｂに挿入係止する。
【００３９】
前記構成のプロテクタ１０は、第１、第２プロテクタ本体１２、１３を結合するときに、ロック爪２４をロック爪係止枠２１にロック結合すると同時に、他にも２箇所で嵌合作業を行う。即ち、フック部２７をフック止め突起２０に、位置決めリブ２８を位置決め孔１９にそれぞれ嵌合させるが、位置決めリブ２８は位置決め孔１９に単純に挿入嵌合する構造であるため、該位置決めリブ２８に撓み等は不要である。また、フック部２７は、先端位置決め部２５の底壁部２６の両側から突設しているため、図５にも示すように、嵌合時に必要な撓みを確保するのに十分な突出高さＨを確保できる。従って、いずれの嵌合作業においても小さな挿入力で容易かつ確実に嵌合することができ、作業性が向上すると共に、半嵌合による不具合発生も防止できる。
【００４０】
また、前記構成のプロテクタ１０の前記結合部位Ａは、図３（Ａ）（Ｂ）に示すように、ロック爪２４がロック爪係止枠２１にロック結合して連結Ｘ方向および上下Ｙ方向に位置決めされるうえ、このロック結合位置Ｒから間隔をあけて第１プロテクタ側の位置で、第２プロテクタ本体１３の前記フック部２７の上面２７ａが第１プロテクタ本体１２の前記フック止め突起２０の係止面２０ａに当接することによって上下Ｙ方向に位置決めされる。即ち、第１、第２プロテクタ本体１２、１３は、連結Ｘ方向において異なる２箇所で上下Ｙ方向に位置決めされるため、前記ロック結合位置Ｒを中心に上下回転Ｖ方向に第１、第２プロテクタ本体１２、１３がズレ動くことを効果的に抑制できる。
【００４１】
さらに、第２プロテクタ本体１３の前記位置決めリブ２８が第１プロテクタ本体１２の前記位置決め孔１９に挿入嵌合され、かつ、該位置決めリブ２８の前後両面２８ａ、２８ｂが位置決め孔１９の内面に当接することによって第１、第２プロテクタ本体１２、１３は連結Ｘ方向に正確に位置決めされる。
【００４２】
従って、前記構成のプロテクタ本体１０は、結合部位Ａにおいて、連結Ｘ方向、上下Ｙ方向、および上下回転Ｖ方向のいずれの方向の遊びも減少させることができるため、該結合部位Ａの変形を防止できると共に、ワイヤハーネスや他の周辺部品との干渉を防止することができる。
【図面の簡単な説明】
【００４３】
【図１】本発明の第一実施形態に係るプロテクタの要部斜視図である。
【図２】結合前の第１プロテクタ本体と第２プロテクタ本体の結合部を示し、（Ａ）は斜視図、（Ｂ）は平面図である。
【図３】結合状態の第１プロテクタ本体と第２プロテクタ本体の結合部を示し、（Ａ）は斜視図、（Ｂ）は（Ａ）のＢ−Ｂ線断面図、（Ｃ）は（Ｂ）のＣ−Ｃ線断面図である。
【図４】図３に示すプロテクタ本体に蓋をロック結合した状態を示す斜視図である。
【図５】第１、第２プロテクタ本体の結合時の状態を示す要部拡大断面図である。
【図６】従来例の図である。
【図７】他の従来例の図である。
【図８】図７（Ｂ）のVIII−VIII線断面図である。
【符号の説明】
【００４４】
１０  プロテクタ
１２  第１プロテクタ本体
１３  第２プロテクタ本体
１７  第１プロテクタ本体の結合部
１８  第２プロテクタ本体の結合部
１９  位置決め孔
２０  フック止め突起
２１  ロック爪係止枠
２５  先端位置決め部
２７  フック部
２８  位置決めリブ
Ｘ  連結方向（長さ方向）
Ｙ  上下方向
Ｖ  上下回転方向
Ａ  結合部位
【図１】
2008259276.tif 000003
【図２】
2008259276.tif 000004
【図３】
2008259276.tif 000005
【図４】
2008259276.tif 000006
【図５】
2008259276.tif 000007
【図６】
2008259276.tif 000008
【図７】
2008259276.tif 000009
【図８】
2008259276.tif 000010